(57)【要約】【課題】接続されている複数の外部装置のうちから所望の外部装置への接続切り替えを容易に行う。【解決手段】複数の入力端子４１と、各入力端子４１のいずれかを信号処理部１３に接続切り替えする接続切り替え部１２と、接続切り替え部１２を制御する主制御部１７と、ＡＶ装置４を識別可能な識別情報、ＡＶ装置４に対する指示情報、および入力端子の端子番号を互いに関連付ける関連付けデータＤｐを記憶する記憶部１６と、ＡＶ装置４のリモコン５から出力される操作信号Ｓｏ２を受信可能な受信部１５とを備え、主制御部１７は、受信部１５によって操作信号Ｓｏ２が受信されたときに、操作信号Ｓｏ２に含まれている識別情報および指示情報に関連付けられている端子番号を関連付けデータＤｐに基づいて特定して接続切り替え部１２に対してその端子番号の入力端子４１を信号処理部１３に接続切り替えさせる。【選択図】図１
2005073127.tif 000002
【特許請求の範囲】
【請求項１】
外部装置から出力されたＡＶ信号を入力するための複数の入力端子と、前記ＡＶ信号を信号処理する信号処理部に対して前記各入力端子のうちのいずれかを接続切り替えする接続切り替え部と、当該接続切り替え部による接続切り替えを制御する制御部とを備えた接続切り替え装置であって、
前記入力端子に接続された前記外部装置を識別可能な識別情報、当該入力端子に接続された前記外部装置に対して所定処理の実行を指示するための所定の指示情報、および当該入力端子の端子番号を互いに関連付ける関連付け情報を記憶する記憶部と、前記入力端子に接続された前記外部装置のリモコン装置によって操作時に出力される前記識別情報および前記指示情報を含む操作信号を受信可能な受信部とを備え、
前記制御部は、前記受信部によって前記操作信号が受信されたときに、当該操作信号に含まれている前記識別情報および前記指示情報に関連付けられている前記端子番号を前記関連付け情報に基づいて特定すると共に前記切り替え部に対して当該特定した端子番号の前記入力端子を前記信号処理部に接続切り替えさせる接続切り替え装置。
【請求項２】
前記関連付け情報は、前記外部装置に対してＡＶ信号出力処理の実行を指示するための信号出力指示情報を前記所定の指示情報として関連付けられている請求項１記載の接続切り替え装置。
【請求項３】
前記端子番号を指定可能な端子番号指定部と、
当該端子番号指定部によって前記端子番号が指定されると共に当該指定された端子番号の前記入力端子に接続されている前記外部装置のリモコン装置からの前記操作信号が前記受信部によって受信されたときに、当該操作信号に含まれている前記識別情報および前記指示情報、並びに当該指定された端子番号を互いに関連付けた前記関連付け情報を生成して前記記憶部に記憶させる情報生成部とを備えている請求項１記載の接続切り替え装置。
【請求項４】
請求項１から３のいずれかに記載の接続切り替え装置と、前記信号処理部と、当該信号処理部によって信号処理された前記ＡＶ信号に基づく画像を表示可能な表示部とを備えている表示装置。
【請求項５】
請求項４記載の表示装置と、放送信号を受信して前記ＡＶ信号を前記信号処理部に出力するチューナとを備えているテレビジョン装置。
【発明の詳細な説明】
【技術分野】
【０００１】
本発明は、外部装置から出力されたＡＶ信号を入力するための複数の入力端子と、各入力端子のうちのいずれかを信号処理部に接続切り替え可能な接続切り替え部とを備えた接続切り替え装置、その接続切り替え装置を備えた表示装置、およびその表示装置を備えたテレビジョン装置に関するものである。
【背景技術】
【０００２】
近年、ＶＴＲ（Videotape Recorder）、ＤＶＤプレーヤおよびＨＤ（Hard Disc）レコーダ等の様々なＡＶ（audio visual）装置の普及に伴い、これらのＡＶ装置を複数所有する家庭が増えつつある。このような状況に対応するため、近年のテレビジョン装置には、ＡＶ装置から出力されるＡＶ信号を入力するための入力端子が複数配設されている。この種のテレビジョン装置は、ＡＶ信号を処理する信号処理部に対して複数の入力端子のうちのいずれかを接続切り替えするための接続切り替え部と、この接続切り替えを操作するための切り替え操作ボタンが配設されたリモコンとを備えている。この場合、このリモコンでは、操作毎に接続を順次切り替えるタイプの単一の操作ボタンが切り替え操作ボタンとして採用されている。したがって、操作ボタン数の低減によってリモコンの小形化が図られている。その一方、このリモコンには、テレビジョン装置に接続したＡＶ装置の数が多いときには、所望のＡＶ装置（所望の入力端子）に接続切り替えするために切り替え操作ボタンを何回も操作する必要があるため、その接続切り替えが煩雑であるという問題点が存在する。
【０００３】
この問題点を解決可能な手段として、特開平７−９５６６２号公報には、例えばテレビジョン装置に対する操作機能を複数の操作ボタンに任意に設定（割り当て）可能なリモコン送信器（１）が開示されている。なお、本明細書では、以下、同公報中の符号については括弧付きで記載する。このリモコン送信器（１）は、プリプログラムキー部（２２）を有するキーボード（２）を備えて構成され、このプリプログラムキー部（２２）には、テレビジョン装置に対する操作機能（基本操作以外の操作機能）を任意に設定可能な８個のプリプログラムキー（２２２〜２２９）が配設されている。したがって、このリモコン送信器（１）を用いて、例えば各プリプログラムキー（２２２〜２２９）とテレビジョン装置に配設された複数の入力端子とをそれぞれ対応付けて接続切り替えの操作機能を設定することも考えられる。このように設定した場合、各プリプログラムキー（２２２〜２２９）のいずれかを操作した際にそのプリプログラムキーに対応付けられた入力端子と信号処理部とを接続させることが可能となる。このため、この場合には、テレビジョン装置に複数のＡＶ装置が接続されているときであっても、所望のＡＶ装置への接続切り替えを一回のボタン操作で行うことが可能となる。
【特許文献１】特開平７−９５６６２号公報（第３−４頁、第１図）
【発明の開示】
【発明が解決しようとする課題】
【０００４】
ところが、従来のリモコン送信器（１）を用いて上記のように設定したとしても、以下の問題点がある。すなわち、上記のように設定した場合、このリモコン送信器（１）では、例えばテレビジョン装置に複数のＡＶ装置が接続されているときであっても、所望のＡＶ装置への接続切り替えが一回のボタン操作で可能となる。しかしながら、テレビジョン装置に数多くのＡＶ装置を接続している場合、どの入力端子にどのＡＶ装置を接続しているのかを使用者が正確に記憶しているのは非常に困難である。したがって、このように設定した場合であっても、数多くのＡＶ装置が接続されているときには、例えば表示される画像を確認しつつプリプログラムキー（２２２〜２２９）を１つずつ順番に操作しなければ所望のＡＶ装置に接続切り替えすることができないため、その接続切り替えが煩雑であるという問題が依然として存在する。
【０００５】
本発明は、かかる課題に鑑みてなされたものであり、接続されている複数の外部装置のうちから所望の外部装置への接続切り替えを容易に行い得る接続切り替え装置、表示装置およびテレビジョン装置を提供することを主目的とする。
【課題を解決するための手段】
【０００６】
上記目的を達成すべく本発明に係る接続切り替え装置は、外部装置から出力されたＡＶ信号を入力するための複数の入力端子と、前記ＡＶ信号を信号処理する信号処理部に対して前記各入力端子のうちのいずれかを接続切り替えする接続切り替え部と、当該接続切り替え部による接続切り替えを制御する制御部とを備えた接続切り替え装置であって、前記入力端子に接続された前記外部装置を識別可能な識別情報、当該入力端子に接続された前記外部装置に対して所定処理の実行を指示するための所定の指示情報、および当該入力端子の端子番号を互いに関連付ける関連付け情報を記憶する記憶部と、前記入力端子に接続された前記外部装置のリモコン装置によって操作時に出力される前記識別情報および前記指示情報を含む操作信号を受信可能な受信部とを備え、前記制御部は、前記受信部によって前記操作信号が受信されたときに、当該操作信号に含まれている前記識別情報および前記指示情報に関連付けられている前記端子番号を前記関連付け情報に基づいて特定すると共に前記切り替え部に対して当該特定した端子番号の前記入力端子を前記信号処理部に接続切り替えさせる。
【０００７】
この接続切り替え装置によれば、外部装置のリモコン装置を操作した操作時において、そのリモコン装置から出力された操作信号を受信部が受信したときに、制御部が、関連付け情報に基づいて端子番号を特定すると共に、接続切り替え部に対して特定した端子番号の入力端子を信号処理部に接続切り替えさせることにより、どの入力端子にどの外部装置が接続されているのかを使用者に意識させることなく、外部装置のリモコン装置を操作するだけでその外部装置と信号処理部とを接続させることができる。したがって、接続切り替え装置に複数の外部装置が接続されているとしても、所望の外部装置の信号処理部への接続切り替えを確実かつ容易に行うことができる。
【０００８】
また、本発明に係る接続切り替え装置は、上記の接続切り替え装置において、前記関連付け情報は、前記外部装置に対してＡＶ信号出力処理の実行を指示するための信号出力指示情報を前記所定の指示情報として関連付けられている。
【０００９】
この接続切り替え装置によれば、外部装置に対してＡＶ信号を出力させるＡＶ信号出力処理の実行を指示するための信号出力指示情報を関連付けて関連付け情報を構成したことにより、外部装置のリモコン装置における例えば再生ボタンを操作することでその外部装置への接続切り替えを行うことができる。したがって、外部装置に対するＡＶ信号出力処理と接続切り替え部に対する接続切り替えとを１回のボタン操作で確実かつ簡単に実行させることができる。
【００１０】
さらに、本発明に係る接続切り替え装置は、上記の接続切り替え装置において、前記端子番号を指定可能な端子番号指定部と、当該端子番号指定部によって前記端子番号が指定されると共に当該指定された端子番号の前記入力端子に接続されている前記外部装置のリモコン装置からの前記操作信号が前記受信部によって受信されたときに、当該操作信号に含まれている前記識別情報および前記指示情報、並びに当該指定された端子番号を互いに関連付けた前記関連付け情報を生成して前記記憶部に記憶させる情報生成部とを備えている。
【００１１】
この接続切り替え装置によれば、端子番号指定部によって端子番号が指定されると共に指定された端子番号の入力端子に接続されている外部装置のリモコン装置からの操作信号が受信部によって受信されたときに、情報生成部が操作信号に含まれている識別情報および指示情報並びに指定された端子番号を互いに関連付けた関連付け情報を生成して記憶部に記憶させることにより、関連付け情報を短時間でしかも容易に生成することができる。
【００１２】
また、本発明に係る表示装置は、上記の接続切り替え装置と、前記信号処理部と、当該信号処理部によって信号処理された前記ＡＶ信号に基づく画像を表示可能な表示部とを備えている。
【００１３】
この表示装置によれば、上記の接続切り替え装置と、上記の信号処理部と、表示部とを備えたことにより、上記の接続切り替え装置が有する効果と同様の効果を実現することができる。
【００１４】
また、本発明に係るテレビジョン装置は、上記の表示装置と、放送信号を受信して前記ＡＶ信号を前記信号処理部に出力するチューナとを備えている。
【００１５】
このテレビジョン装置によれば、上記の表示装置と、チューナとを備えたことにより、上記の接続切り替え装置が有する効果と同様の効果を実現することができる。
【発明を実施するための最良の形態】
【００１６】
以下、添付図面を参照して、本発明に係る接続切り替え装置、表示装置およびテレビジョン装置の好適な発明の実施の形態について説明する。
【００１７】
最初に、テレビジョン装置１の構成について説明する。図１に示すテレビジョン装置１は、一例として、チューナ１４やＡＶ装置４，４・・から出力されるＡＶ信号Ｓａに基づく各種画像を表示可能な背面投射型のテレビジョン装置であって、装置本体２およびリモコン３を備えて構成されている。装置本体２は、図１に示すように、端子盤１１、接続切り替え部１２、信号処理部１３、チューナ１４、受信部１５、記憶部１６、主制御部１７、表示制御部１８、表示部１９および音声出力部２０を備えて構成されている。この場合、端子盤１１、接続切り替え部１２、受信部１５、記憶部１６および主制御部１７によって本発明に係る接続切り替え装置が構成される。また、この接続切り替え装置と、信号処理部１３、表示制御部１８および表示部１９とで本発明に係る表示装置が構成される。
【００１８】
端子盤１１は、例えば、装置本体２の筐体（図２参照）における背面に取り付けられている。また、端子盤１１には、例えば信号ケーブルを介して接続されているＡＶ装置４，４・・から出力されるＡＶ信号Ｓａ，Ｓａ・・を入力可能な例えば１０個（１０組）の入力端子４１，４１・・が配設されている。この場合、各入力端子４１，４１・・には、各々に対応付けられた例えば１から１０までの端子番号Ｎが付与されている。なお、ＡＶ装置４は本発明における外部装置に相当し、このＡＶ装置４には、ＶＴＲやＤＶＤプレーヤなどの録画（記録）装置、およびＢＳ（Broadcasting Satellite）チューナやＣＳ（Communications Satellite）チューナなどのディジタル放送信号を受信可能な受信装置が含まれる。また、ＣＤプレーヤやラジオチューナなどのオーディオ装置、およびＡＶ機能を備えたパーソナルコンピュータ等もこのＡＶ装置４に含まれる。
【００１９】
接続切り替え部１２は、各入力端子４１，４１・・のうちから主制御部１７の制御信号Ｓｃで指定された入力端子４１と信号処理部１３とを接続切り替えすることにより、その入力端子４１を介して入力したＡＶ装置４のＡＶ信号Ｓａを信号処理部１３に入力させる。信号処理部１３は、ＡＶ信号Ｓａに含まれている画像信号Ｓｔおよび音声信号Ｓｖを抽出して主制御部１７に出力する。チューナ１４は、図示しないアンテナを介して受信したＴＶ放送波（放送信号）から主制御部１７の制御信号Ｓｃで指定されたチャンネルのＴＶ放送波を抽出して、そのＡＶ信号Ｓａを信号処理部１３に出力する。受信部１５は、リモコン３から出力された操作信号Ｓｏ１を受信して主制御部１７に出力する。また、受信部１５は、各ＡＶ装置４，４・・の各リモコン（リモコン装置）５，５・・（図１，２参照）から出力された操作信号Ｓｏ２を受信して主制御部１７に出力する。
【００２０】
記憶部１６は、ＥＰＲＯＭ等の不揮発性メモリで構成されて、ＡＶ装置情報Ｄｍなどを記憶する。この場合、ＡＶ装置情報Ｄｍは、メーカー名、機種名および装置番号などを識別可能とするために予め規定された各ＡＶ装置の識別情報と、その各識別情報にそれぞれ対応するメーカー名、機種名および装置番号を表示するための文字情報とで構成されている。また、記憶部１６には、テレビジョン装置１の製造時において市販されている主なＡＶ装置に対応するＡＶ装置情報Ｄｍが初期情報として予め記憶されている。また、記憶部１６は、後述するように、主制御部１７によって生成される関連付け情報Ｄｐも記憶する。この場合、関連付け情報Ｄｐには、ＡＶ装置４の識別情報と、リモコン５によって出力されてＡＶ信号Ｓａの再生処理（信号を出力させる処理であって、本発明における所定処理およびＡＶ信号出力処理に相当する）をＡＶ装置４に対して実行させるための信号出力指示情報Ｄｃと、そのＡＶ装置を接続した入力端子４１の端子番号Ｎとを関連付ける情報で構成されている。なお、上記したＡＶ装置情報Ｄｍを記憶する記憶部と、関連付け情報Ｄｐを記憶する記憶部とを別体の記憶部で構成することもできる。
【００２１】
主制御部１７は、本発明における制御部および情報生成部に相当し、リモコン３から出力された操作信号Ｓｏ１に応じて制御信号Ｓｃを出力することにより、接続切り替え部１２、信号処理部１３、チューナ１４、表示制御部１８および音声出力部２０などを統括的に制御する。また、主制御部１７は、信号処理部１３から出力された画像信号Ｓｔを表示制御部１８に転送すると共に、信号処理部１３から出力された音声信号Ｓｖを音声出力部２０に転送する。さらに、主制御部１７は、後述するように、入力端子４１に接続したＡＶ装置４の情報を登録する際に、ＡＶ装置４の識別情報と、ＡＶ装置４に対する信号出力指示情報Ｄｃと、入力端子４１の端子番号Ｎとを関連付けた関連付け情報Ｄｐを生成して記憶部１６に記憶させる。また、主制御部１７は、ＡＶ装置４のリモコン５における例えば再生ボタン５１（図２参照）が操作されてその操作に対応する操作信号Ｓｏ２が受信部１５によって受信されたときに、記憶部１６に記憶されている関連付け情報Ｄｐに基づき、この操作信号Ｓｏ２に含まれている識別情報および信号出力指示情報Ｄｃに関連付けられた端子番号Ｎを特定し、この特定した端子番号Ｎの入力端子４１を信号処理部１３に接続切り替えさせる制御信号Ｓｃを接続切り替え部１２に出力する。
【００２２】
表示制御部１８は、主制御部１７によって転送された画像信号Ｓｔに基づいて表示用画像信号Ｓｅを生成して表示部１９に出力することにより、例えば、図２に示す画像Ｐｔ（この場合、家、木および雲の画像）を表示させる。また、表示制御部１８は、主制御部１７から出力される制御信号Ｓｃの指示に従い、図３，４に示すＡＶ装置登録画面Ｐｅを表示させるための表示用画像信号Ｓｅを生成して表示部１９に出力する。
【００２３】
表示部１９は、図１に示すように、プロジェクタユニット２１およびスクリーンパネル２２を備えて構成されている。プロジェクタユニット２１は、装置本体２の筐体内部における底面側に配設されて、表示制御部１８によって出力される表示用画像信号Ｓｅに基づいて光変調した投射光Ｌをスクリーンパネル２２の背面側に向けて投射する。スクリーンパネル２２は、プロジェクタユニット２１によって投射された投射光Ｌを受光して拡散または平行光に変換することにより、各種画像を表示する。なお、このテレビジョン装置１では、実際には、プロジェクタユニット２１によって投射された投射光Ｌをスクリーンパネル２２に向けて反射するためのミラーなどを備えているが、本発明についての理解を容易とするために、その図示および説明を省略する。音声出力部２０は、例えばアンプおよびスピーカー（いずれも図示せず）を備えて構成され、主制御部１７によって転送された音声信号Ｓｖを増幅して出力する。
【００２４】
リモコン３は、本発明における端子番号指定部に相当し、図２に示すように、操作部３１を備えて構成され、装置本体２とは別体に形成されている。操作部３１は、同図に示すように、電源ボタン３１ａ、登録ボタン３１ｂ、選局ボタン３１ｃ，３１ｃ・・、移動ボタン３１ｄ，３１ｄ・・および決定ボタン３１ｅなどの各種操作ボタンが配列されて構成され、各操作ボタンが操作された際に操作信号（赤外線信号）Ｓｏ１を出力する。この場合、操作信号Ｓｏ１には、テレビジョン装置１の識別情報、およびテレビジョン装置１に対して各種処理の実行を指示するための指示情報が含まれている。なお、上記したＡＶ装置４のリモコン５から出力される操作信号Ｓｏ２にも、ＡＶ装置４の識別情報や、信号出力指示情報ＤｃなどのＡＶ装置４に対する指示情報が含まれている。
【００２５】
次に、テレビジョン装置１の全体的な動作について、図面を参照して説明する。このテレビジョン装置１では、リモコン３の電源ボタン３１ａが操作されることにより、プロジェクタユニット２１に電源が供給されると共にチューナ１４によってＡＶ信号Ｓａが出力される。この際に、表示制御部１８が、ＡＶ信号Ｓａに含まれている画像信号Ｓｔに基づく表示用画像信号Ｓｅを生成してプロジェクタユニット２１に出力する。また、音声出力部２０が、ＡＶ信号Ｓａに含まれている音声信号Ｓｖを増幅して出力する。これにより、プロジェクタユニット２１によって投射光Ｌが投射されて、例えば図２に示す画像Ｐｔがスクリーンパネル２２に表示されると共に、音声出力部２０によって音声が出力される。
【００２６】
一方、ＶＴＲやＤＶＤプレーヤなどのＡＶ装置４，４・・（例えば図２に示す４台のＡＶ装置４，４・・）を用いて、例えば記録媒体に録画されている画像をテレビジョン装置１に表示させる際には、まず、各ＡＶ装置４，４・・の出力端子（図示せず）と、テレビジョン装置１の端子盤１１における入力端子４１，４１・・とを信号ケーブル（図示せず）を用いて接続する。次に、各ＡＶ装置４，４・・についての情報をテレビジョン装置１に登録する。この際には、まず、図２に示すリモコン３の登録ボタン３１ｂを操作する。これに応じて、リモコン３（操作部３１）が操作信号Ｓｏ１を出力し、受信部１５が操作信号Ｓｏ１を受信して主制御部１７に出力する。続いて、主制御部１７は、操作信号Ｓｏ１に従って、図３に示すＡＶ装置登録画面Ｐｅの表示を指示する制御信号Ｓｃを表示制御部１８に出力する。次いで、表示制御部１８が制御信号Ｓｃに従ってＡＶ装置登録画面Ｐｅを表示させる表示用画像信号Ｓｅを生成して表示部１９に出力することにより、同図に示すように、ＡＶ装置登録画面Ｐｅがスクリーンパネル２２に表示される。この場合、ＡＶ装置登録画面Ｐｅ内には、同図に示すように、端子番号Ｎを指定する旨を示すメッセージ文が表示される。
【００２７】
次に、リモコン３の移動ボタン３１ｄを操作して、図３に示すように、ＡＶ装置登録画面Ｐｅ内の端子番号Ｎが表示された位置にカーソル（同図に示す黒色の帯状画像）を移動させる。この場合、例えば図２に示すＡＶ装置４ａを端子番号Ｎが１の入力端子４１に接続したときには、図３に示すように、１の数字が表示された位置にカーソルを移動させる。次いで、リモコン３の決定ボタン３１ｅを操作する。この際に、主制御部１７が制御信号Ｓｃを表示制御部１８に出力することにより、図４に示すように、ＡＶ装置登録画面Ｐｅには、端子番号Ｎが１の入力端子４１に接続したＡＶ装置４ａのリモコン５を操作する旨を示すメッセージ文が表示される。次いで、図２に示すように、ＡＶ装置４ａのリモコン５をテレビジョン装置１（受信部１５）に向けた状態でその再生ボタン５１を操作する。この際に、リモコン５は、ＡＶ装置４ａの識別情報、および信号出力指示情報Ｄｃを含んだ操作信号Ｓｏ２を出力する。続いて、受信部１５は、操作信号Ｓｏ２を受信して主制御部１７に出力する。
【００２８】
次に、主制御部１７は、ＡＶ装置情報Ｄｍに基づいて、操作信号Ｓｏ２に含まれている識別情報に対応するＡＶ装置４ａのメーカー名、機種名および装置番号（単に、「装置番号」ともいう）を特定して、特定した装置番号をＡＶ装置登録画面Ｐｅ内に表示させるための制御信号Ｓｃを表示制御部１８に出力する。次いで、表示制御部１８が制御信号Ｓｃに従って表示用画像信号Ｓｅを表示部１９に出力することにより、図４に示すように、ＡＶ装置４ａのメーカー名、機種名および装置番号が、ＡＶ装置登録画面Ｐｅ内におけるカーソルの表示位置に表示される。続いて、上記の端子番号Ｎの指定およびリモコン５の操作を繰り返して実行して、残りの３台のＡＶ装置４，４，４についての情報をＡＶ装置登録画面Ｐｅ内に表示させる。
【００２９】
次に、リモコン３の移動ボタン３１ｄを操作して、ＡＶ装置登録画面Ｐｅ内における「登録」の文字が表示されている位置にカーソルを移動させた後に、決定ボタン３１ｅを操作する。この際に、主制御部１７は、各ＡＶ装置４，４・・の識別情報と、各ＡＶ装置４，４・・に対応する信号出力指示情報Ｄｃと、各ＡＶ装置４，４・・が接続されている端子番号Ｎとをそれぞれ互いに関連付ける関連付け情報Ｄｐを生成して記憶部１６に記憶させる。これにより、各ＡＶ装置４，４・・についての情報のテレビジョン装置１への登録が終了する。
【００３０】
一方、ＡＶ装置４（例えば図２に示すＡＶ装置４ａ）を用いて記録媒体に録画されている画像をテレビジョン装置１に表示させる際には、ＡＶ装置４ａのリモコン５における再生ボタン５１を操作する。この際に、テレビジョン装置１の受信部１５が、リモコン５から出力された操作信号Ｓｏ２を受信して主制御部１７に出力する。これに応じて、主制御部１７は、記憶部１６に記憶されている関連付け情報Ｄｐに基づき、操作信号Ｓｏ２に含まれている識別情報および信号出力指示情報Ｄｃに関連付けられた端子番号Ｎ（この場合１）を特定する。次いで、主制御部１７は、特定した端子番号Ｎの入力端子４１を信号処理部１３に接続させる制御信号Ｓｃを接続切り替え部１２に出力する。続いて、接続切り替え部１２は、制御信号Ｓｃに指定された端子番号Ｎの入力端子４１と信号処理部１３とを接続する。一方、ＡＶ装置４ａは、リモコン５から出力された操作信号Ｓｏ２に従って再生処理を実行してＡＶ信号Ｓａを出力する。これにより、入力端子４１（この場合、端子番号Ｎが１の入力端子４１）および信号切り替え部１２を介してＡＶ信号Ｓａが信号処理部１３に入力する。次に、信号処理部１３は、ＡＶ信号Ｓａから画像信号Ｓｔおよび音声信号Ｓｖを抽出して主制御部１７に出力する。次いで、表示制御部１８が主制御部１７によって転送された画像信号Ｓｔに基づく表示用画像信号Ｓｅをプロジェクタユニット２１に出力することにより、ＡＶ装置４ａによって再生された画像（記録媒体に録画された画像）がスクリーンパネル２２に表示される。また、音声出力部２０が、主制御部１７によって転送された音声信号Ｓｖに基づく音声（記録媒体に録音された音声）を出力する。
【００３１】
また、例えば他のＡＶ装置４を用いて再生した画像をテレビジョン装置１に表示させる際には、上記した操作と同様にして、そのＡＶ装置４のリモコン５を操作する。この際に、上記した動作と同様にして主制御部１７が制御信号Ｓｃを出力し、接続切り替え部１２がそのＡＶ装置４が接続された入力端子４１を信号処理部１３に接続切り替えすることにより、そのＡＶ装置４によって再生された画像の表示および音声の出力が行われる。
【００３２】
このように、このテレビジョン装置１によれば、ＡＶ装置４のリモコン５を操作した操作時において、そのリモコン５から出力された操作信号Ｓｏ２を受信部１５が受信したときに、主制御部１７が、関連付け情報Ｄｐに基づいて端子番号Ｎを特定すると共に、接続切り替え部１２に対して特定した端子番号Ｎの入力端子を信号処理部１３に接続切り替えさせることにより、どの入力端子にどのＡＶ装置４が接続されているのかを使用者に意識させることなく、ＡＶ装置４のリモコン５を操作するだけでそのＡＶ装置４と信号処理部１３とを接続させることができる。したがって、テレビジョン装置１に数多くのＡＶ装置４，４・・が接続されているとしても、所望のＡＶ装置４と信号処理部１３とを確実かつ容易に接続することができる。
【００３３】
また、ＡＶ装置４に対して再生処理の実行を指示する信号出力指示情報Ｄｃを関連付けて関連付け情報Ｄｐを構成したことにより、ＡＶ装置４におけるリモコン５の再生ボタン５１を操作することでそのＡＶ装置４と信号処理部１３とを接続することができる。したがって、ＡＶ装置４に対する再生処理と接続切り替え部１２に対する接続切り替えとを１回のボタン操作で確実かつ簡易に実行させることができる。
【００３４】
さらに、リモコン３の操作によって端子番号Ｎが指定されると共に指定された端子番号Ｎの入力端子４１に接続されているＡＶ装置４のリモコン５からの操作信号Ｓｏ２が受信部１５によって受信されたときに、主制御部１７が操作信号Ｓｏ２に含まれている識別情報および信号出力指示情報Ｄｃ並びに指定された端子番号Ｎを互いに関連付けた関連付け情報Ｄｐを生成して記憶部１６に記憶させることにより、関連付け情報Ｄｐを短時間でしかも容易に生成することができるため、ＡＶ装置４の装置番号と端子盤１１の端子番号との登録を短時間で行うことができる。
【００３５】
なお、本発明は、上記した本発明の実施の形態に限定されない。例えば、本発明の実施の形態では、ＡＶ装置４におけるリモコン５の再生ボタン５１を操作したときに接続切り替え部１２に対して接続切り替えさせる例について説明したが、再生ボタン５１以外の操作ボタンを操作したときに接続切り替えを実行させることもできる。具体的には、ＡＶ装置４が例えばＢＳチューナの場合、登録時において、リモコン５の再生ボタン５１を操作した際に出力される信号出力指示情報Ｄｃに代えて、選局ボタンを操作した際にリモコン５から出力される選曲指示情報と関連付けた関連付け情報Ｄｐを生成する。このように登録したときには、リモコン５の選局ボタンを操作するたけでそのＡＶ装置４（ＢＳチューナ）と信号処理部１３と接続することができる。また、本発明の実施の形態では、登録の際にＡＶ装置４におけるリモコン５の再生ボタン５１を操作して識別情報や信号出力指示情報Ｄｃを入力する例について説明したが、識別情報や信号出力指示情報Ｄｃが既知のときには、これらをリモコン３（またはリモコン５）の数字ボタンを用いて入力することもできる。
【００３６】
また、本発明の実施の形態では、プロジェクタユニット２１およびスクリーンパネル２２を備えて表示部１９を構成した例について説明したが、表示部としてＣＲＴや液晶表示パネルを採用することもできる。さらに、本発明の実施の形態では、テレビジョン装置１に本発明を適用した例について説明したが、ＶＴＲやＤＶＤプレーヤなどの録画（記録）装置に本発明を適用することもできる。また、チューナ１４や音声出力部２０を備えていない表示装置に本発明を適用することもできる。また、チューナ１４、表示制御部１８、表示部１９および音声出力部２０を備えていないＡＶセレクタ（接続切り替え装置）に本発明を適用することもできる。
【図面の簡単な説明】
【００３７】
【図１】テレビジョン装置１の構成を示すブロック図である。
【図２】テレビジョン装置１の正面図である。
【図３】ＡＶ装置登録画面Ｐｅの一例を示す表示画面図である。
【図４】ＡＶ装置登録画面Ｐｅの他の一例を示す表示画面図である。
【符号の説明】
【００３８】
１  テレビジョン装置、３  リモコン、４  ＡＶ装置、５  リモコン、１１  端子盤、１２  接続切り替え部、１３  信号処理部、１４  チューナ、１５  受信部、１６  記憶部、１７  主制御部、１８  表示制御部、１９  表示部、４１  入力端子、Ｄｃ  信号出力指示情報、Ｄｐ  関連付け情報、Ｐｔ  画像、Ｓａ  ＡＶ信号、Ｓｅ  表示用画像信号
【図１】
2005073127.tif 000003
【図２】
2005073127.tif 000004
【図３】
2005073127.tif 000005
【図４】
2005073127.tif 000006